(57)【要約】      （修正有）【課題】  装飾リボン付き包装箱の提供。【解決手段】  箱本体１の対向する側面６，７に、それぞれ下部孔と上部孔とからなる略ニの字状のリボン挿通孔９，１０を設け、前記箱本体の底面から両側面に掛け回し、箱本体の上面で両端部を装飾結びができる長さのリボン３を配設し、該リボンの一方の端部を前記箱本体の一方の側面のリボン挿通孔の下部孔から内側に挿通し且つ上部孔から外側に挿通して所要長さ引き出し、他方の端部を前記箱本体の他方の側面のリボン挿通孔の下部孔から内側に挿通し且つ上部孔から外側に挿通して所要長さ引き出して予め箱本体に取り付けてあることによって、箱本体内に小物商品を収納する。【選択図】  図１
2005325476.tif 000002
【特許請求の範囲】
【請求項１】
装飾品等の小物商品を収納する箱本体と該箱本体に施蓋される蓋部材とからなる贈り物用として使用される包装箱であって、
前記箱本体の対向する側面に、それぞれ下部孔と上部孔とからなる略ニの字状のリボン挿通孔を設け、
前記箱本体の底面から両側面に掛け回し、箱本体の上面で両端部を装飾結びができる長さのリボンを配設し、
該リボンの一方の端部を前記箱本体の一方の側面のリボン挿通孔の下部孔から内側に挿通し且つ上部孔から外側に挿通して所要長さ引き出し、他方の端部を前記箱本体の他方の側面のリボン挿通孔の下部孔から内側に挿通し且つ上部孔から外側に挿通して所要長さ引き出して予め箱本体に取り付けてあること
を特徴とする装飾用リボン付き包装箱。
【請求項２】
取り付けられたリボンの両端部の引き出し長さは略同じ長さにしてあること
を特徴とする請求項１に記載の装飾用リボン付き包装箱。
【請求項３】
小物商品は、適宜の包装体に収納してから箱本体に収納すること
を特徴とする請求項１に記載の装飾用リボン付き包装箱。
【発明の詳細な説明】
【技術分野】
【０００１】
本発明は、例えば、ネックレス、ペンダント等の小物装飾品を贈り物とする時に包装するための装飾用リボン付き包装箱に関するものである。
【背景技術】
【０００２】
この種の包装箱としては、例えば、両端部を有するリボン片と、該リボン片の両端部に固定され該両端部を互いに接続する弾性を有する１または複数の接続片とからなるリング状の装飾用リボンと、少なくとも対向する位置に一対の穴が設けられた側壁を有する箱体であって前記装飾用リボンが前記箱体の側壁の穴に通された箱体とを含む包装箱が公知になっている。
【０００３】
ところが、この公知の包装箱は、使用される装飾用リボンが、最初からリボン片の両端部に弾性を有する接続片を固定してリング状に形成されたものであって、箱体に取り付ける際に弾性を有する接続片に引っ張り力を及ぼしまたはこれを解除することにより、接続片を弾性的に伸縮させ、リングの直径を増大させまたは元に戻すことができ、箱体に取り付けた後にリングの直径を元に戻すことで、装飾用リボンが箱体に接し且つ緊張状態におかれる。このことから、商品またはその包装箱若しくは包装容器への装飾用リボンの取付及び該リボンによる装飾を、熟練を要することなしに容易に行うことができる、というものである。
【０００４】
そして、具体的な実施例として、「箱体は側壁を有し、側壁にはその互いに相対する一対の箇所のそれぞれに穴が設けられている。図示の穴は箱体の底壁に平行なスリットからなり、両スリットにリボン、より詳細にはリボン片が通されている。このため、リボンは、その一部（図示の例ではリボン片の一部及び接続片）が箱体の内部にあり、かつ他の残りの一部（リボン片の残りの一部及び蝶結び）が箱体の外部にあるように、箱体に取り付けられている。」との構成が開示されている。そして、具体的な取り付け方として、「箱体へのリボンの取り付けは、例えば、リボンの接続片が固定される前のリボン片の両端部（２つのリボン片の有する例にあってはこれらの他端部）を、それぞれ、箱体の外部からその内部に向けて両スリットに通し、その後、リボン片の両端部に接続片を固定することにより行う。」との構成が開示されている。
【特許文献１】特開２００３−３４２８６１号公報
【０００５】
このように、公知の包装箱は、その使用される装飾用リボンが、リボン片の端部に弾性を有する接続片を逢着などによって固定して全体をリング状に形成した構成を不可欠にするものであって、弾性を有する接続片が存在することで、箱体への取り付け作業を、熟練を要しなくても簡単に行えるというものであるが、基本的には、箱体とは別体にリング状に形成した装飾用リボンが用いられること、この場合には、リボン片の端部にミシンなどを用いて接続片を逢着固定することは容易である。
しかしながら、リング状に形成した装飾用リボンは、そのリング状の直径が決まっているため、一定の大きさの包装箱にしか使用できず、他種類の大きさの包装箱を体裁良く装飾するには、それぞれに見合った直径を有するリング状の装飾用リボンを予め準備しておかなければならず、その分他種類に渡るため仕分け管理が複雑になり且つストックのスペースも広く必要になるという問題点を有している。
【０００６】
また、箱体に予め装飾リボンを取り付けておく場合には、リボン片の両端部を箱体の外側からスリットを介して箱体の内側にそれぞれ差し込み、その両端部に接続片を固定するというものであるが、リボン片の長さは、使用時において蓋体に密着する程度の長さしかないのであり、しかも、その両端部が箱体の内部にあることから、ミシンなどが使用できず、必然的に手縫いになることから、逢着固定すること自体が著しく困難になるという問題点を有している。
【発明の開示】
【発明が解決しようとする課題】
【０００７】
従来の装飾リボン付き包装箱において、箱体への装飾リボンの取り付けが２本のリボン片を使用しなければならず、しかも、その取り付けにおいて接続片の固定、即ち取り付け作業が面倒であるのを回避すると共に、箱体の底面側にリボンが掛け回されていないために、箱体に対するリボン包装または装飾の体裁が損なわれているのを回避し、且つ、複数のリボン片を使用せず、また包装箱の大きさに制約を受けることなく１本のリボンで無駄なく容易に装飾結びの綺麗な装飾ができるようにした装飾リボン付き包装箱体を提供することである。
【課題を解決するための手段】
【０００８】
本発明は、装飾品等の小物商品を収納する箱本体と該箱本体に施蓋される蓋部材とからなる贈り物用として使用される包装箱であって、前記箱本体の対向する側面に、それぞれ下部孔と上部孔とからなる略ニの字状のリボン挿通孔を設け、前記箱本体の底面から両側面に掛け回し、箱本体の上面で両端部を装飾結びができる長さのリボンを配設し、該リボンの一方の端部を前記箱本体の一方の側面のリボン挿通孔の下部孔から内側に挿通し且つ上部孔から外側に挿通して所要長さ引き出し、他方の端部を前記箱本体の他方の側面のリボン挿通孔の下部孔から内側に挿通し且つ上部孔から外側に挿通して所要長さ引き出して予め箱本体に取り付けてあることを最も主要な特徴とする装飾用リボン付き包装箱である。
【０００９】
本発明の装飾用リボン付き包装箱は、取り付けられたリボンの両端部の引き出し長さは略同じ長さにしてあること、および小物商品は、適宜の包装体に収納してから箱本体に収納すること、を付加的な要件として含むものである。
【発明の効果】
【００１０】
本発明の装飾用リボン付き包装箱は、箱本体の底面から両側面に掛け回したリボンの一方の端部を箱本体の一方の側面のリボン挿通孔の下部孔から内側に挿通し且つ上部孔から外側に挿通して所要長さ引き出し、他方の端部を前記箱本体の他方の側面のリボン挿通孔の下部孔から内側に挿通し且つ上部孔から外側に挿通して所要長さ引き出して予め箱体に取り付けてあることによって、箱本体内に小物商品を収納した後に、箱本体の上部でリボンの両端部を、例えば、蝶結びなどの装飾結びをすることができるのであり、結び作業があるとしても、１本の所要長さのリボンを予め空の箱本体のリボン挿通孔に挿通して取り付けるだけであるため、リング状に形成したものと違って、リボンの取り付け作業が著しく容易である。
また、リボンが底面から側面にまで掛け回されているので、装飾包装としての外観体裁が良好になる。
【発明を実施するための最良の形態】
【００１１】
本発明に係る装飾用リボン付き包装箱は、装飾品等の小物商品を収納する箱本体と該箱本体に施蓋される蓋部材とからなる贈り物用として使用されるものであって、前記箱本体は、例えば、折り畳み式の上質紙製で四角形状の箱体として形成され、その四角形状の箱体の対向する側面に、それぞれ下部孔と上部孔とからなる略ニの字状のリボン挿通孔を設ける。そして、前記箱本体の底面から両側面に掛け回し、箱本体の上面で両端部を装飾結びができる長さのリボンを配設し、該リボンの一方の端部を前記箱本体の一方の側面のリボン挿通孔の下部孔から内側に挿通し且つ内側で折り返して上部孔から外側に挿通し所要長さ引き出してフリーの状態にし、他方の端部を前記箱本体の他方の側面のリボン挿通孔の下部孔から内側に挿通し且つ内側で折り返して上部孔から外側に挿通し所要長さ引き出しフリーの状態にして予め箱本体に取り付けるものであって、包装箱を使用しない場合には、リボンのフリーの状態にある両端部を箱本体の内部に仕舞い込んで蓋部材を施蓋して保管管理するものである。
また、小物商品は、箱本体に直接収納するのではなく、例えば、袋状の包装体に入れてから収納する場合には、その包装体も箱本体に納めた状態で施蓋し、前記リボンと共に一つの包装部材として保管管理するものである。
【００１２】
このように予め箱本体に、底面から両側面に掛け回した所要長さ、つまりその箱本体に合った長さの１本のリボンを取り付けておき、そのリボンの両端部をフリーの状態にしておくことによって、何等の制約を受けることなく小物商品収納後に適正な装飾結びができると共に、底面から両側面にそってリボンが掛け回されているので、装飾包装形態が体裁良く整うようにしたことで、実現化したものである。
【実施例】
【００１３】
図１は、本発明に係る装飾用リボン付き包装箱の実施例を示す展開斜視図であり、基本的には、ネックレス、ペンダント等の小物装飾品を贈り物とする時に包装するために使用するものであって、箱本体１と蓋部材２とからなるものであり、これに装飾用のリボン３が予め配設して取り付けられたものである。
【００１４】
箱本体１は、例えば、上質の厚紙素材を打ち抜いてブランク体を形成し、折り目に沿って折り畳んで組み立てることができ、前面４、背面５、両側面６、７および底面８とからなる全体が略四角形状を呈する箱体である。
【００１５】
この箱本体１の対向する両側面６、７に、それぞれリボン挿通孔９、１０を設ける。このリボン挿通孔９、１０は、下部孔９ａ、１０ａと上部孔９ｂ、１０ｂとからなる略ニの字状のものであって、両側面６、７の中央部の下部寄りに形成するのが好ましい。
【００１６】
装飾用のリボン３は、箱本体１の底面８から両側面６、７に掛け回して配設されるものであって、該リボン３の一方の端部３ａは、箱本体１の一方の側面６のリボン挿通孔９における下部孔９ａから内側に挿通し、その端部３ａを内側で折り返して上部孔９ｂから外側に挿通して引き出す。また、他方の端部３ｂは、同様に箱本体１の他方の側面７におけるリボン挿通孔１０の下部孔１０ａから内側に挿通し、その端部３ｂを内側で折り返して上部孔１０ｂから外側に挿通して引き出し、これら両端部３ａ、３ｂは略同じ長さ引き出してフリーの状態にして予め箱本体１に取り付けられるものである。
【００１７】
この場合のリボン３における両端部３ａ、３ｂの引き出し長さは、その取り付けられる箱本体１において、箱本体１の開口する上面で蝶結びなどの装飾結びが十分出来る長さであって、好ましくは、その端縁を斜めにカットした状態のものが使用される。これら両端部３ａ、３ｂの端縁が斜めにカットされていることで、リボン挿通孔９、１０の下部孔９ａ、１０ａと上部孔９ｂ、１０ｂへの挿通作業が容易に行えると共に、装飾結びの体裁も良くなるのである。
【００１８】
蓋部材２は、箱本体１の上部開口面より一回り広い四角形状に形成され、四周の各垂下部２ａが箱本体１の開口部における前面４、背面５および両側面６、７の上端部の外周に係合して施蓋が遂行される。
【００１９】
また、ネックレス、ペンダント等の小物装飾品は、箱本体１に直接収納することができるが、好ましくは、所要の包装体に入れて箱本体１に収納した方が良い。この場合に、包装体としては、例えば、所要大きさの袋体１１が使用される。この場合の袋体１１は、体裁の良い生地で形成し、その口部１２側には、装飾を兼ねた絞り紐１３が取り付けられている。なお、その包装体、即ち袋体１１は包装箱のセットとして、箱本体１に予め納めておけば良い。そして、包装箱を未使用の状態で保管管理する場合に、箱本体１に袋体１１とリボン３の両端部３ａ、３ｂを仕舞い込んで蓋部材２を施蓋して置けば良いのである。
【００２０】
このように形成された装飾用リボン付き包装箱を使用する場合には、図２に示したように、包装しようとする装飾品などの小物商品を所要の袋体１１に入れ、その袋体１１を箱本体１に収納した後に、リボン３を例えば蝶結びして装飾し、その上から蓋部材２を施蓋するものである。なお、指輪などの装飾品は、所要のケースに収められており、その所要のケースも包装体であって、そのケースを箱本体１に収納してから、リボン３を結ぶようにすれば良いのである。
【００２１】
いずれにしても、リボン３は、その両端部が所要の長さをもってフリーの状態にあり、しかも箱本体１の底面８から両側面６、７に掛け回され、両側面６、７に形成されたリボン挿通孔９、１０に挿通して予め取り付けられており、被包装物を収納して単に結ぶ行為を行うだけであるため、包装の作業性が比較的速やかに行えるのである。
【産業上の利用可能性】
【００２２】
本発明に係る装飾用リボン付き包装箱は、装飾品の小物製品に限らず多少大きな製品の包装にも適用でき、予め所要長さの１本のリボンを箱本体に取り付けておき、その両端部をフリーの状態にしておくことで、どのような商品の包装にも適用できるのであり、使用の仕方によってその利用範囲は拡がるのである。
【図面の簡単な説明】
【００２３】
【図１】本発明の具体的な実施例に係る装飾用リボン付き包装箱を分離して示した斜視図である。
【図２】同実施例に係る装飾用リボン付き包装箱の使用状況を示す斜視図である。
【符号の説明】
【００２４】
１  箱本体
２  蓋部材
３  リボン
３ａ、３ｂ  端部
４  正面
５  背面
６、７  側面  
８  底面
９、１０  リボン挿通孔
９ａ、１０ａ  下部孔
９ｂ、１０ｂ  上部孔
１１  袋体（包装体）
１２  開口部
１３  絞り紐
【図１】
2005325476.tif 000003
【図２】
2005325476.tif 000004